(57)【要約】【課題】レシートを発行しないと設定されてあってもお客の要望に応じて容易にレシートが発行できるＰＯＳ端末装置を提供すること。【解決手段】本発明は、一取引毎に商品登録された販売データをレシートに印字発行して精算するＰＯＳ端末装置において、取引毎のレシートを精算の際に発行するレシート発行有りモードと発行しないレシート発行無しモードを選択するモード選択手段と、モード選択手段でレシート発行無しモードが選択された場合に、レシートを発行するレシート発行キーと、レシート発行キーが操作された時に、当該取引に関するレシートを発行する制御を行う制御手段とを備えた。【選択図】図７
2010244172.tif 000002
【特許請求の範囲】
【請求項１】
一取引毎に商品登録された販売データをレシートに印刷発行して精算するＰＯＳ端末装置において、
取引毎の前記レシートを前記精算の際に発行するレシート発行有りモードと発行しないレシート発行無しモードを選択するモード選択手段と、
前記モード選択手段で前記レシート発行無しモードが選択された場合に、レシートを発行するレシート発行キーと、
前記レシート発行キーが操作された時に、当該取引に関するレシートを発行する制御を行う制御手段と、を備えたことを特徴とするＰＯＳ端末装置。
【請求項２】
請求項１に記載のＰＯＳ端末装置において、
前記制御手段により発行されるレシートが当該取引において一回目の発行か、或いは二回目以降の発行かを判断する判断手段を備え、
前記制御手段は、前記判断手段により二回目以降の発行と判断された場合、前記発行されるレシートに再発行であることを視認できる文字又は符号を印刷し、一回目の発行と判断された場合、前記再発行であることを視認できる文字又は符号を非印刷とすることを特徴とするＰＯＳ端末装置。
【請求項３】
請求項１又は２に記載のＰＯＳ端末装置において、
前記登録された商品に関する情報を表示する表示部を備え、
前記モード選択手段で選択されたレシート発行の有無の情報を前記表示部に表示することを特徴とするＰＯＳ端末装置。
【請求項４】
請求項１又は２又は３に記載のＰＯＳ端末装置において、
前記モード選択手段にて前記レシート発行無しモードが選択された場合で、所定期間内に前記レシート発行キーが押下された押下回数を記憶するレシート発行キー押下回数記憶手段を備え、
前記所定期間内の取引回数に対する前記レシート発行キー押下回数記憶手段に記憶された押下回数の割合が所定の割合を超えた場合、前記モード選択手段により選択されたモードがレシート発行有りモードに選択されることを特徴とするＰＯＳ端末装置。
【発明の詳細な説明】
【技術分野】
【０００１】
本発明は小売店などで精算等に用いられるＰＯＳ端末装置に関し、特にレシート発行に特徴を有するＰＯＳ端末装置に関する。
【背景技術】
【０００２】
コンビニエンスストア等の小売店でお客が買い物を行い、精算する際に通常ＰＯＳ端末装置からレシートが発行される。そして該発行されたレシートをお客に渡している。しかしながら店舗によっては、買い物をするお客の大半がレシートを必要としない場合がある。このような場合、店員が発行したレシートが必要か否かをお客に尋ね、お客が必要である旨を返答した場合のみレシートを渡し、必要でない場合はその都度予め備えておいた箱等に投入し、後にまとめて処分する方法もあるが、面倒なため発行されたレシートをお客にその要不要を尋ねることなく渡すことが多い。しかしお客は必要のないレシートを持ち帰るのが面倒であるから、その場で備え置き箱に投入するか、店内或いは道路等に捨てる場合が多く、その処理が面倒である上、環境上も好ましくない。
【０００３】
そのため、ＰＯＳ端末装置では、精算の際にレシートを発行しないモードと、レシートを発行するモードとを切り換えることができる設定手段が備わっている装置がある。そして上記のように大半のお客がレシートを欲しない場合は、前記レシートを発行しないモードを選択することができるようになっている。しかしながら、レシートを発行しないモードを選択した場合で、お客からレシートが必要である旨の申し出を受けた場合、通常は、釣銭等の払い出しが済んだ後にお客からの前記申し出を受けるため、その取引で登録したデータを取り消して、前記設定手段をレシート発行しないモードから発行するモードに切り換えて、再度購入した商品の商品情報を登録し、精算した後でないとレシートが発行されなかった。
【先行技術文献】
【特許文献】
【０００４】
【特許文献１】特開平１０−３５００号公報
【発明の概要】
【発明が解決しようとする課題】
【０００５】
上記のようにお客からレシートが欲しい旨の要求があってから、レシートを発行しないモードから発行するモードに切り換えて、購入した商品を再度、商品登録操作を行うことにより登録し、精算した後にレシートを発行するのでは、二度の商品登録作業及び精算作業を行わなければならず、作業に時間がかかり、面倒でもあった。
【０００６】
本発明は上述の点に鑑みてなされたもので、レシートを発行しないと設定した場合であってもお客の要望に応じて容易にレシートが発行できるＰＯＳ端末装置を提供することを目的とする。
【課題を解決するための手段】
【０００７】
上記の課題を解決するために、一取引毎に商品登録された販売データをレシートに印刷発行して精算するＰＯＳ端末装置において、取引毎のレシートを精算の際に発行するレシート発行有りモードと発行しないレシート発行無しモードを選択するモード選択手段と、モード選択手段でレシート発行無しモードが選択された場合に、レシートを発行するレシート発行キーと、レシート発行キーが操作された時に、当該取引に関するレシートを発行する制御を行う制御手段と、を備えたことを特徴とする。
【０００８】
また、本発明は上記ＰＯＳ端末装置において、制御手段により発行されるレシートが当該取引において一回目の発行か、或いは二回目以降の発行かを判断する判断手段を備え、制御手段は、判断手段により二回目以降の発行と判断された場合、発行されるレシートに再発行であることを視認できる文字又は符号を印刷し、一回目の発行と判断された場合、再発行であることを視認できる文字又は符号を非印刷とすることを特徴とする。
【０００９】
また、本発明は上記ＰＯＳ端末装置において、登録された商品に関する情報を表示する表示部を備え、モード選択手段で選択されたレシート発行の有無の情報を表示部に表示することを特徴とする。
【００１０】
また、本発明は上記ＰＯＳ端末装置において、モード選択手段にてレシート発行無しモードが選択された場合で、所定期間内にレシート発行キーが押下された押下回数を記憶するレシート発行キー押下回数記憶手段を備え、所定期間内の取引回数に対するレシート発行キー押下回数記憶手段に記憶された押下回数の割合が所定の割合を超えた場合、モード選択手段により選択されたモードがレシート発行有りモードに選択されることを特徴とする。
【発明の効果】
【００１１】
請求項１に記載の発明によれば、レシート発行無しモードが選択された場合であっても、精算時にお客からレシートの要求があった場合それに応じて、レシート発行キーを押下することにより、レシートを発行できるので、従来のように設定手段を切り換え、再度商品情報を登録し、精算を行うことなく、簡単にレシートを発行することが可能となる。
【００１２】
請求項２記載の発明によれば、レシート発行をしないと選択された場合で、レシート発行キーが押されてレシートが発行される際、当該レシートの発行が一回目のレシートの発行である場合は、レシートに再発行と視認される文字又は符号を非印刷とし、二回目以降の発行である場合は、レシートに再発行と視認される文字又は符号が印刷されるので、二回目以降に発行されるレシートが不正に使用されることなく、且つ、一回目のレシートには再発行と視認される文字又は符号が印刷されないから、通常のレシートと同様に税務処理に利用できるレシートをお客に提供できる。
【００１３】
請求項３に記載の発明によれば、モード選択手段で選択されたレシート発行の有無の情報が表示部に表示されるので、ＰＯＳ端末装置のオペレーターは現在の取引で、商品登録時にレシート発行有りモードが選択されているかレシート発行無しモードが選択されているかを把握することができる。
【００１４】
請求項４に記載の発明によれば、モード選択手段にてレシート発行無しモードが選択された場合で、所定期間内にレシート発行キーが押下された押下回数を記憶するレシート発行キー押下回数記憶手段を備え、所定期間内の取引回数に対するレシート発行キー押下回数記憶手段に記憶された押下回数の割合が所定の割合を超えた場合、モード選択手段により選択されたモードがレシート発行有りモードに選択されるので、レシートを必要とする客が増えてきた場合に、レシート発行キーを押さなくてもレシートが発行されるようになるので、操作性が良くなる。
【図面の簡単な説明】
【００１５】
【図１】本発明に係るＰＯＳ端末装置の外観構成例を示す図である。
【図２】本発明に係るＰＯＳ端末装置の内部構成を示す電気ブロック図である。
【図３】本発明に係るＰＯＳ端末装置の設定ファイルの記憶例を示す図である。
【図４】本発明に係るＰＯＳ端末装置のＲＡＭの各種データが記憶されるエリアの概略を示す図である。
【図５】本発明に係るＰＯＳ端末装置の買上履歴ファイルのデータフォーマット例を示す図である。
【図６】本発明に係るＰＯＳ端末装置の店員側の液晶タッチパネルの表示例を示す図である。
【図７】本発明に係るＰＯＳ端末装置の処理フローを示す図である。
【図８】本発明に係るＰＯＳ端末装置で発行されるレシート例を示す図である。
【発明を実施するための形態】
【００１６】
以下、本発明の実施の形態について、詳細に説明する。
図１は本発明に係るＰＯＳ端末装置の外観構成例を示す図で、図１（ａ）は正面図、図１（ｂ）は側面図である。本ＰＯＳ端末装置１は店舗側の操作員（オペレーター）によって操作される液晶タッチパネル１１２と、キー操作部１１４とを主な構成要素として備えている。ＰＯＳ端末装置１は、内蔵するレシート印刷部（ジャーナルプリンタ）によって印刷されるレシートが出てくるレシート発行口１０９と、カードによる買い物があったときに使用するカードリーダ部１１８、更に図示を省略する値札読み取り用スキャナを周辺装置として備えている。なお、客用表示部１１６には、ＰＯＳ端末装置の操作員によって登録された内容が表示され、顧客に買い上げた商品名や合計金額を周知させるようになっている。
【００１７】
図２は、ＰＯＳ端末装置１の内部システム構成を示すブロック図である。ＰＯＳ端末装置１は、ＣＰＵ１００、ハードディスク部１０２、ＲＡＭ１０４、レシート印刷部１０８、スキャナ部１１０、液晶タッチパネル１１２、キー操作部１１４、客用表示部１１６、カードリーダ部１１８、及びＣＤＲＯＭ部１２２を備え、それぞれアドレス、データ、コントロールのためのラインが複数本で構成されるシステムバス１２０に共通接続されて構成されている。ハードディスク部１０２には、商品ファイルの他、設定モードの内容を記憶する設定ファイル、一取引毎の買上データを記憶する買上履歴ファイル、プログラムやその他のデータ等が格納され、ＲＡＭ１０４はＣＰＵ１００で制御・演算を行うためのワークエリアとして使用され、後述のように動作上必要な様々なデータ等が格納される。
【００１８】
ＰＯＳ端末装置１には、商品の登録を行う登録モードの他、設定モードやメンテナンスモード等がある。そして設定モードはＰＯＳ端末装置１が起動する上で必要なデータを設定するモードで、レシート発行の有無や、精算の際に例えば磁気の会員カードを読み取ることで会員を識別して商品登録や精算を行う顧客仕様を実施するか否か、或いはＰＯＳ端末装置１のタイプやＰＯＳ端末装置１のマシン番号等、様々なデータを設定する。この設定モードで設定されたデータは設定ファイルとして、上記のようにハードディスク部１０２に格納される。
【００１９】
図３はハードディスク部１０２に格納される設定ファイルの記憶例を示す図である。設定ファイルは、上記のようにＰＯＳ端末装置を起動する上で必要なデータを設定するファイルで、レシート発行、顧客仕様・・・・等の設定項目が設けられている。レシート発行には、買上商品の精算の際にレシートを発行する「有」か、しない「無」を設定する。ここではレシートを発行しない「無」を設定している例を示す。顧客仕様には、上記のように買上商品の精算の際に例えば磁気の会員カードを読み取ることで会員を識別して商品登録や精算を行う顧客仕様を実施するか否か設定する。ここでは顧客仕様を実施する「無」にしている例を示す。
【００２０】
図４はＲＡＭ１０４の各種データが記憶されるエリアの概略を示す図である。図示するように、ハードディスク部１０２から読み出された設定ファイルに記憶されているレシート発行の有無のデータを記憶するエリア１０４ａ、一取引毎にカウントアップされた当該取引におけるレシート番号を記憶するレシート番号エリア１０４ｂ、当該取引における買上商品情報を記憶する買上商品情報エリア１０４ｃ、当該取引における登録合計金額等を記憶する登録合計金額エリア１０４ｄ、当該取引における預かり金額を記憶する預かり金額エリア１０４ｅ、当該取引における釣銭金額を記憶する釣銭金額エリア１０４ｆ、当該取引におけるレシート発行済か否かのフラグ（例えば、レシート発行済の場合は「１」、発行済でない場合「０」）を記憶するレシート発行済エリア１０４ｇ・・・・等が設けられている。
【００２１】
図５はハードディスク部１０２に格納された買上履歴ファイルのデータフォーマット例を示す図である。図示するように、買上履歴ファイルには、レシート番号毎に、取引日時、買上商品情報、登録合計金額、預かり金額、釣銭金額、レシート発行済等か否かの情報の各項目が設けられる。各項目には、それぞれレシート番号、取引日時（例えば２００９年２月１０日１０時１０分）、買上商品に関する情報、登録した商品の合計金額、預かった金額、釣銭の金額、レシート発行済か否かのフラグ（例えば、発行済の場合は「１」、発行していない場合は「０」）が記憶され、一取引が終了する毎にＲＡＭ１０４に一時的に記憶された各情報がハードディスク部１０２の各項目に記憶されるようになっている。
【００２２】
図６はＰＯＳ端末装置１の店員側の液晶タッチパネル１１２の表示画面１１２ａの表示例を示す図である。図示するように、液晶タッチパネル１１２の表示画面１１２ａには買上げされた商品に付されたバーコードがスキャンされた商品が順次表示される買上商品情報表示部２０、商品の買上げ点数を表示する買上点数表示部２１、小計を表示する小計表示部２２、合計を表示する合計表示部２３、預かり金額を表示する預かり金額表示部２４、釣銭金額を表示する釣銭金額表示部２５が設けられている。また、表示画面１１２ａには、ＰＯＳ端末装置がレシート発行有りの状態にあるかレシート発行無しの状態にあるか（レシート発行「有」モードか、レシート発行「無」モードか）を表示するレシート発行状態表示部１１（ここでは「レシート発行無」が表示されている）、臨時的にレシートを発行させるためのレシート発行キー１２、過去の取引データをレシート番号から読み出すための取引呼出キー１３、バーコードが付されていない商品を選択するためのキーを表示するための商品選択キー１４等が表示される。
【００２３】
上記構成のＰＯＳ端末装置１において、お客が買った商品を登録する際には、商品登録モードに設定すると共に、レシート発行無しモードに設定した後、買上げた商品に付されているバーコードをスキャンすることにより、その商品名、価格、及び個数が液晶タッチパネル１１２の表示画面１１２ａの買上商品情報表示部２０に順次表示される（図では、「のど飴  １００円  １」、「ガム  １５０円  ２」、「雑誌  ８５０円  １」が表示されている例を示す）。そして買上点数表示部２１はバーコードのスキャン毎に買上点数が加算されて表示され、キー操作部１１４の小計キーを押すことにより小計表示部２２に小計が表示され、キー操作部１１４の合計キーを押すことにより、合計表示部２３に合計金額が表示される。この表示を見てお客は支払い金額を用意し、オペレーターに手渡す。オペレーターは預かり金額を置数して、現計キーを押下することにより、預かり金額から合計金額を減算して釣銭金額を算出し、精算を行う。お客からレシートの要求があった場合、レシート発行キー１２を押下することにより、ＰＯＳ端末装置１はレシート印刷部１０８を起動してレシートを印刷発行する。
【００２４】
図７は上記商品の登録精算を行うＰＯＳ端末装置１の処理フローを示す図である。先ずステップＳＴ１において、オペレーターは、お客が購入した商品に付されているバーコードをバーコードスキャナ（図示せず）で読み取り、スキャナ部１１０を介してＰＯＳ端末装置１のＲＡＭ１０４の買上商品情報エリア１０４ｃに記憶する。ＣＰＵ１００は読み取られたバーコードに対応する商品コード情報と、該商品コード情報に基づきハードディスク部１０２に記憶されている商品ファイル（図示せず）から読み出された金額等の情報を買上商品情報としてＲＡＭ１０４の買上商品情報エリア１０４ｃに記憶する。
【００２５】
ステップＳＴ２では、登録の終了を宣言する小計キーが押下されたか否かを判断し、イエス（Ｙ）の場合、キー操作部１１４に配置されている小計キーが押下された場合は、ステップＳＴ１でＲＡＭ１０４の買上商品情報エリア１０４ｃに記憶された買上商品情報に基づき商品登録された商品の合計点数と合計金額を算出し、ＲＡＭ１０４の登録合計金額エリア１０４ｄに一時記憶すると共に、該合計点数と合計金額を液晶タッチパネル１１２の表示画面１１２ａの買上点数表示部２１、小計表示部２２、合計表示部２３に表示すると共に、客用表示部１１６に表示し、オペレーター及び顧客に周知させてステップＳＴ３に移行する。ノー（Ｎ）の場合は、ステップＳＴ１に戻り商品登録を繰り返す。
【００２６】
ステップＳＴ３では、お客から預かった金額を預かり金額として置数し、ＲＡＭ１０４の預かり金額エリア１０４ｅに一時記憶すると共に、液晶タッチパネル１１２の表示画面１１２ａの預かり金額表示部２４に表示し、ステップＳＴ４に移行する。
【００２７】
ステップＳＴ４ではキー操作部１１４に配置されている現計キーを押下し、ステップＳＴ３で、ＲＡＭ１０４の預かり金額エリア１０４ｅに一時記憶した預かり金額から、ステップＳＴ２でＲＡＭ１０４の登録合計金額エリア１０４ｄに一時記憶した合計金額を減算して、釣銭金額を算出し、ＲＡＭ１０４の釣銭金額エリア１０４ｆに一時記憶し、算出された釣銭金額を液晶タッチパネル１１２の表示画面１１２ａの釣銭金額表示部２５と客用表示部１１６に表示し、ステップＳＴ５に移行する。
【００２８】
ステップＳＴ５では、ハードディスク部１０２から読み出され、ＲＡＭ１０４の設定モードでのレシート発行の有無を設定するエリア１０４ａに記憶されているデータがレシート発行「有」モードか否かを判断し、イエス（Ｙ）の場合はステップＳＴ６に移行し、ノー（Ｎ）の場合はステップＳＴ７に移行する。
【００２９】
ステップＳＴ６では、ステップＳＴ５でレシート発行「有」モードと判断されたのであるから、ステップＳＴ１でＲＡＭ１０４の買上商品情報エリア１０４ｃに記憶されている買上情報である商品名や、預かり金額エリア１０４ｅに記憶されている預かり金額や、釣銭金額エリア１０４ｆに記憶されている釣銭金額、更にレシート番号エリア１０４ｂに記憶されているレシート番号等をレシートに印刷し、レシートを発行する。つまり、この場合は操作として現計キーを押下げることにより、レシートが発行される。そしたＲＡＭ１０４のレシート発行済エリア１０４ｇに記憶されているフラグ値「０」が「１」に書き換えられる。これによりこの取引において、レシートが発行されたことを識別することができる。
【００３０】
また、当該取引のレシート番号に紐づけられて、ＲＡＭ１０４の買上商品情報エリア１０４ｃ、登録合計金額エリア１０４ｄ、預かり金額エリア１０４ｅ、釣銭金額エリア１０４ｆ、レシート発行済エリア１０４ｇのそれぞれに一時的に記憶されたレシート番号、買上商品情報、登録合計金額、預かり金額、釣銭金額、フラグ値（「１」又は「０」）がハードディスク部１０２の買上履歴ファイルに記憶される。そしてオペレーターは表示画面１１２ａに表示された該釣銭金額を見て、釣銭金額があればドロアから取り出してレシートと共にお客へ手渡す。
【００３１】
ステップＳＴ７ではレシート発行キー１２が押下されているか否かを判断し、イエス（Ｙ）の場合、ステップＳＴ８に移行し、ノー（Ｎ）の場合はステップＳＴ１１に移行する。（ここでイエス（Ｙ）の場合は、ステップＳＴ５でレシート発行「有」と判断され、ステップＳＴ６でレシートを一度発行したが、例えば発行中に印字がかすれたために再度、レシートを発行したい場合や、或いはステップＳＴ５でレシート発行「無」と判断され、レシートが発行されなかったが、お客からの申し出により、レシートを発行する場合とが、考えられる。）ステップＳＴ８では、ＲＡＭ１０４のレシート発行済エリア１０４ｇに記憶されているフラグが「１」であるか否を判断し、イエス（Ｙ）であれば、ステップＳＴ９に移行し、ノー（Ｎ）の場合は、ステップＳＴ１０に移行する。
【００３２】
ステップＳＴ９では、ステップＳＴ１でＲＡＭ１０４の買上商品情報エリア１０４ｃに記憶した買上商品情報に基づく商品名、ステップＳＴ３でＲＡＭ１０４の預かり金額エリア１０４ｅに記憶している預かり金額、ステップＳＴ４でＲＡＭ１０４の釣銭金額エリア１０４ｆに記憶されている釣銭金額、レシート番号エリア１０４ｂに記憶されているレシート番号３０（ここでは「０１８３」の４桁の数字）と、更にはこの取引において二回目以降のレシート印刷なので、レシートに再発行であることを視認できる文字又は符号３１（ここでは「再発行」の文字）を印刷したレシート（図８参照）を発行し、お客へ渡し、ステップＳＴ１１に移行する。
【００３３】
ステップＳＴ１０では、ステップＳＴ１でＲＡＭ１０４の買上商品情報エリア１０４ｃに記憶した買上商品情報に基づく商品名や、ステップＳＴ３でＲＡＭ１０４の預かり金額エリア１０４ｅに記憶している預かり金額や、ステップＳＴ４でＲＡＭ１０４の釣銭金額エリア１０４ｆに記憶されている釣銭金額、レシート番号エリア１０４ｂに記憶されているレシート番号３０（ここでは「０１８３」の４桁の数字）等が印刷され、ＲＡＭ１０４のレシート発行済エリア１０４ｇにフラグ「１」を設定する。この取引において初めてレシートが印刷されるので、発行するレシートには、ステップＳＴ９のように「再発行」という文字は印刷されないレシート（図８の「再発行」の文字が無いレシート）を発行し、お客へ渡し、ステップＳＴ１１に移行する。
【００３４】
ステップＳＴ１１では、次のお客の商品登録があるか否かを判断し、次のお客の商品登録がある場合はステップＳＴ１に戻り処理をくり返す。ノー（Ｎ）の場合は処理を終了する。
【００３５】
なお、次のお客の商品登録がされると、ＲＡＭ１０４の各エリアに記憶されている買上商品情報、登録合計金額、預かり金額、釣銭金額、レシート発行済エリアのフラグ値がクリアされ、そしてレシート番号のエリアに記憶されているレシート番号が「１」だけカウントアップされ、次のお客の取引に備える。
【００３６】
上記のように、ＰＯＳ端末装置をレシート発行無しモードに設定していたとしても、液晶タッチパネル１１２に表示されているレシート発行キー１２を押下することで、レシートを臨時的に発行できるので、従来のようにレシート発行無しモードで一旦登録したデータを取り消して、登録モードをレシート発行有りモードに変更し、該変更したレシート発行有りモードで再度、登録精算することがなく、容易に臨時的にレシートを発行することができる。
【００３７】
また、レシート発行無しモードに設定されていた場合であっても、レシート発行が一回目の場合は通常のレシートと同様に、「再発行」という文字が印刷されないので、税務処理に利用できるレシートを発行することができる。また、レシートが二回目以降の発行である場合は「再発行」という文字が印刷されるので、当該レシートが不正に使用されるのを防ぐことができる。例えば、一方は税務処理に利用し、他方は家計簿として残しておくために２つのレシートを要求するお客もいる。その場合、いずれのレシートにも「再発行」であることが表示されないと、実際は１回の取引にも関わらず、２回の取引があったと不正な処理ができてしまうために、当該取引において、２回目以降のレシート発行の場合は「再発行」が印刷されて発行される。
【００３８】
また、例えば一日或いは一週間等、予め決められた期間のうち、図７に示す処理のステップＳＴ５でノー（Ｎ）の場合で、且つステップＳＴ７でのレシート発行キー１２が押下されたことが、その期間のうち、何回あったか否かを買上履歴ファイルに記憶するようにしても良い。これにより、レシート発行無しと設定されている期間の総取引回数のうち、レシート発行キー１２が押下された回数を算出し、この回数が一定値以上になった場合は、レシートは発行無しモードからレシート発行有りモードに自動的にモードを選択変更できるようにしても良い。
【００３９】
当初、全体のお客のうち、レシートを欲するお客の割合が少ないことにより、ＰＯＳ端末装置１をレシート発行無しモードに設定していたが、総取引の一定回数（割合）以上、レシート発行キー１２が押下される回数が多くなった場合は、通常の精算のように取引毎にレシートを発行するようにしても良い。これによりオペレーターはレシート発行キー１２を押さなくともレシートが発行されるようになるので、操作性が向上する。
【００４０】
なお、上記実施形態例は、液晶タッチパネル１１２に臨時的にレシートを発行させるレシート発行キー１２を表示するようにしたが、キー操作部１１４に臨時的にレシートを発行させるレシート発行キーを設けても良い。
【００４１】
また、本発明に係るＰＯＳ端末装置では、設定モードでレシートを発行しないレシート発行無しモードに設定されていた場合で、精算直後にレシート発行キー１２を押下して、該当レシートを発行しても良いし、或いは当該お客の後に、例えば数人の客が取引をしてから、図６の液晶タッチパネル１１２の取引呼出キー１３を押下し、遡ってレシートを発行する取引のレシート番号を入力することでハードディスク部１０２の買上履歴ファイルから該当する取引の買上げ情報を呼び出して、該呼び出した際にレシート発行キー１２を押下してレシートを発行するようにしてもよい。そして、初めてレシートを発行する場合は、レシート番号が分からないので、買上履歴ファイルの情報を液晶タッチパネル１１２の表示画面１１２ａの買上商品情報表示部２０でエリアＤ１でスクロール可能に表示し、取引を遡り、該当する取引を特定し、レシート発行キー１２を押下することで当該取引におけるレシートを発行するようにしても良い。
【００４２】
また、二回目以降のレシート発行の場合で、レシートに印刷されているレシート番号が分かっている場合は、該レシート番号を入力することで取引が特定できる。
【００４３】
また、上記実施形態例では、レシートの発行の有無の選択を設定モードにて選択するようにしたが、商品を登録するモードにて液晶タッチパネル１１２の表示画面１１２ａにレシート発行有無の選択キーを設け、選択できるようにしても良い。
【００４４】
また、レシート発行が二回目以降の場合は、レシートに「再発行」の文字を印刷する例を示したが、再発行のレシートであることが分かる文字或いは符号であれぱ「再発行」の文字に関わらず、例えば「再」だけでも良いし、或いは丸印の内部に「再」の文字を付したものでも良い。
【００４５】
また、図６のレシート発行キー１２は、設定モードでレシート発行無しと設定された場合、或いはレシート発行有りと設定された場合、いずれの場合にも表示するようにしても良いし、レシート発行無しと設定された場合にのみ、表示するようにしても良い。また、設定モードにてレシート発行無しと設定された場合であって、一取引における現計キーが押下される前に、お客からレシートが必要であると伝えられたときに、前記設定モードのレシート発行無し／有りの設定を一時的に、レシート発行「無」から「有」に変更するキーを店員用液晶タッチパネル１１２に設けても良い。そして、該キーが押されることで、当該取引においては臨時的に、現計キーが押されると釣銭データ等が出力されるのに合せてレシートも発行されるようになり、次のお客の商品登録が開始されると、前記レシート発行「有り」に変わったフラグが「無し」に戻る。つまりレシート発行フラグを臨時的に変更する変更手段を備えるようにしても良い。
【００４６】
以上本発明の実施形態を説明したが、本発明は上記実施形態に限定されるものではなく、特許請求の範囲、及び明細書と図面に記載された技術的思想の範囲内において種々の変形が可能である。
【産業上の利用可能性】
【００４７】
本発明は、ＰＯＳ端末装置でレシート発行無しモードを選択し運転していた場合であっても、精算時にお客からレシートの要求があった場合それに応じて、レシート発行キーを押下することにより、臨時的にレシートを発行できるので、従来のように設定手段を切り換え、再度商品登録を行うことなく、簡単にレシートを発行することが可能となり、お客が必要としない多数のレシートを発行する必要がなくなる。従って、コンビニエンスストア等のお客の大半がレシートを必要としない小売店等において、お客が必要としない多数のレシートを印刷することなく、且つお客からレシートの要求があった場合、簡単な操作で迅速にレシートを発行することができる。
【符号の説明】
【００４８】
１    ＰＯＳ端末装置
１１  レシート発行状態表示部
１２  レシート発行キー
１３  取引呼出キー
１４  商品選択キー
２０  買上商品情報表示部
２１  買上点数表示部
２２  小計表示部
２３  合計表示部
２４  預かり金額表示部
２５  釣銭金額表示部
１００  ＣＰＵ
１０２  ハードディスク部
１０４  ＲＡＭ
１０８  レシート印刷部
１０９  レシート発行口
１１０  スキャナ部
１１２  液晶タッチパネル
１１４  キー操作部
１１６  客用表示部
１１８  カードリーダ部
１２２  ＣＤＲＯＭ部
【図１】
2010244172.tif 000003
【図２】
2010244172.tif 000004
【図３】
2010244172.tif 000005
【図４】
2010244172.tif 000006
【図５】
2010244172.tif 000007
【図６】
2010244172.tif 000008
【図７】
2010244172.tif 000009
【図８】
2010244172.tif 000010